【手続補正書】
【提出日】平成25年2月1日(2013.2.1)
【手続補正１】
【補正対象書類名】特許請求の範囲
【補正対象項目名】全文
【補正方法】変更
【補正の内容】
【特許請求の範囲】
【請求項１】
基エア取込口から取り込んだ基エアを加熱する加熱手段、及び当該基エアを冷却する冷却手段を有する空調装置と、
前記加熱手段に加熱媒体を加熱して供給すると共に、前記冷却手段に冷却媒体を冷却して供給するヒートポンプと、
前記加熱媒体の前記ヒートポンプへの加熱負荷量を調節する加熱負荷量調節手段と、
前記冷却媒体が前記ヒートポンプから供給される際の温度及び／又は前記冷却媒体が前記ヒートポンプへ戻る際の温度である冷熱温度を検知する冷熱温度センサと、
前記加熱媒体を加熱する他温熱源と、
前記冷熱温度センサ及び前記他温熱源と接続され、当該冷熱温度センサから得た前記冷熱温度に応じて前記加熱負荷量調節手段における加熱負荷量を制御すると共に、前記他温熱源による加熱供給量を調整する自動制御装置と
を備えたことを特徴とする空調システム。
【請求項２】
前記加熱負荷量調節手段は、前記自動制御装置による、前記ヒートポンプから供給される前記加熱媒体の温度設定値の調節、前記加熱媒体の流量の調節、前記他温熱源における加熱量の調節の内の少なくとも何れかを行うものである
ことを特徴とする請求項１に記載の空調システム。
【請求項３】
受電量を把握可能なデマンドコントローラを備えており、
前記ヒートポンプは、温水追従モードと冷房モードでモード切替可能であり、
自動制御装置は、前記ヒートポンプを制御可能であって、当該デマンドコントローラにより把握された前記受電量が所定値を超えている場合に、前記ヒートポンプを冷房モードに切替える
ことを特徴とする請求項１又は請求項２に記載の空調システム。
【請求項４】
前記ヒートポンプは、温水追従モードと冷房モードでモード切替可能であり、
前記自動制御装置は、前記ヒートポンプを制御可能であって、前記冷却媒体の冷熱が不足していると、前記ヒートポンプを冷房モードに切替える
ことを特徴とする請求項１ないし請求項３の何れかに記載の空調システム。
【請求項５】
前記自動制御装置は、前記冷却媒体の冷熱が不足していると、前記他温熱源を運転する
ことを特徴とする請求項４に記載の空調システム。
【請求項６】
基エア取込口から取り込んだ基エアを加熱する加熱手段、及び当該基エアを冷却する冷却手段を有する空調装置と、
前記加熱手段に加熱媒体を加熱して供給すると共に、前記冷却手段に冷却媒体を冷却して供給するヒートポンプと、
前記冷却媒体の前記ヒートポンプへの冷却負荷量を調節する冷却負荷量調節手段と、
前記加熱媒体が前記ヒートポンプから供給される際の温度及び／又は前記加熱媒体が前記ヒートポンプへ戻る際の温度である温熱温度を検知する温熱温度センサと、
前記冷却媒体を冷却する他冷熱源と、
前記温熱温度センサ及び前記他冷熱源と接続され、当該温熱温度センサから得た前記温熱温度に応じて前記冷却負荷量調節手段における冷却負荷量を制御すると共に、前記他冷熱源による冷熱供給量を調整する自動制御装置と
を備えたことを特徴とする空調システム。
【請求項７】
前記冷却負荷量調節手段は、前記自動制御装置による、前記ヒートポンプから供給される前記冷却媒体の温度設定値の調節、前記冷却媒体の流量の調節、前記他冷熱源における冷却量の調節の内の少なくとも何れかを行うものである
ことを特徴とする請求項６に記載の空調システム。
【請求項８】
受電量を把握可能なデマンドコントローラを備えており、
前記ヒートポンプは、冷水追従モードと冷房モードでモード切替可能であり、
自動制御装置は、前記ヒートポンプを制御可能であって、当該デマンドコントローラにより把握された前記受電量が所定値を超えている場合に、前記ヒートポンプを冷房モードに切替える
ことを特徴とする請求項６又は請求項７に記載の空調システム。
【請求項９】
前記ヒートポンプは、冷水追従モードと冷房モードでモード切替可能であり、
前記自動制御装置は、前記ヒートポンプを制御可能であって、前記冷却媒体の冷熱が不足していると、前記ヒートポンプを冷房モードに切替える
ことを特徴とする請求項６ないし請求項８の何れかに記載の空調システム。
【請求項１０】
前記加熱媒体を加熱する他温熱源を備えており、
前記自動制御装置は、前記加熱媒体の温熱が不足していると、前記他温熱源を運転する
ことを特徴とする請求項９に記載の空調システム。
【請求項１１】
前記冷却手段に対する冷却した冷却媒体の供給が不要である場合に、前記冷却媒体の温度につき、前記ヒートポンプの効率がより良好となるように上昇する
ことを特徴とする請求項１ないし請求項１０の何れかに記載の空調システム。
【請求項１２】
前記冷却媒体を加熱し又は冷却する媒体を供給する空冷ヒートポンプを備えており、
当該空冷ヒートポンプの前記媒体を前記冷却媒体により冷却し又は加熱した後、前記空冷ヒートポンプの前記媒体に対する加熱又は冷却を切り替える
ことを特徴とする請求項１ないし請求項１１の何れかに記載の空調システム。
【請求項１３】
前記媒体を加熱し又は冷却する他補助熱源を備えており、
前記冷却媒体による前記媒体の冷却又は加熱に合わせて、前記他補助熱源による冷却又は加熱を行う
ことを特徴とする請求項１２に記載の空調システム。
【請求項１４】
前記冷却側加熱媒体は、要冷却設備における冷却水及び／又は冷水であり、
当該冷却水及び／又は冷水を所定温度まで冷却して前記冷却媒体と熱交換する冷却機及び機器冷却水温度調節手段を更に備えている
ことを特徴とする請求項１ないし請求項１３の何れかに記載の空調システム。
【請求項１５】
前記ヒートポンプは、複数存在しており、
前記自動制御装置は、各前記ヒートポンプを制御可能であって、前記冷熱温度又は前記温熱温度に応じ、前記ヒートポンプの運転台数を変える
ことを特徴とする請求項１ないし請求項１４に記載の空調システム。
【請求項１６】
基エア取込口から取り込んだ基エアを加熱する加熱手段、及び当該基エアを冷却する冷却手段を有する空調装置と、
前記加熱手段に加熱媒体を加熱して供給すると共に、前記冷却手段に冷却媒体を冷却して供給するヒートポンプと、
前記冷却媒体を加熱する冷却媒体加熱機と
を備えており、
前記ヒートポンプは、冷却媒体追従運転において冷却負荷量を上回る冷熱量である冷却媒体を供給する状態で運転される
ことを特徴とする空調システム。
【請求項１７】
前記ヒートポンプは、空冷式熱回収型ヒートポンプである
ことを特徴とする請求項１６に記載の空調システム。
【請求項１８】
基エア取込口から取り込んだ基エアを加熱する加熱手段を有する空調装置と、
前記加熱手段に加熱媒体を加熱して供給すると共に、冷却媒体につき、工場から生ずる排温水、排気、排ガス、補給水、洗浄水、機器の放熱、ワークの放熱、空調の排熱又はコージェネレーションの排熱の少なくとも何れか１つを含む側から導入し冷却して導出可能であるヒートポンプと、
前記加熱媒体、及び／又は前記空調装置に設けられた第２加熱手段に供給される第２加熱媒体を加熱する他温熱源と
を備えたことを特徴とする空調システム。
【請求項１９】
前記工場から生ずる排温水、排気、排ガス、補給水、洗浄水、機器の放熱、ワークの放熱、空調の排熱又はコージェネレーションの排熱の少なくとも何れか１つの熱量が不足する場合に、前記ヒートポンプの加熱負荷を調整する加熱負荷調整手段を制御して、当該加熱負荷を低減する自動制御装置を備えている
ことを特徴とする請求項１８に記載の空調システム。
【請求項２０】
前記工場から生ずる排温水、排気、排ガス、補給水、洗浄水、機器の放熱、ワークの放熱、空調の排熱又はコージェネレーションの排熱の少なくとも何れか１つを冷却する排熱等冷却手段を備えており、
前記加熱負荷調整手段は、前記工場から生ずる排温水、排気、排ガス、補給水、洗浄水、機器の放熱、ワークの放熱、空調の排熱又はコージェネレーションの排熱の少なくとも何れか１つの前記排熱等冷却手段に対する流量を調節する流量調節手段である
ことを特徴とする請求項１９に記載の空調システム。
【請求項２１】
前記加熱負荷調整手段は、前記加熱媒体の前記ヒートポンプに対する流量を調節する加熱側流量調節手段である
ことを特徴とする請求項１９又は請求項２０に記載の空調システム。
【請求項２２】
前記空調装置は、複数である
ことを特徴とする請求項１ないし請求項２１の何れかに記載の空調システム。
【請求項２３】
前記空調装置として、排気循環空調機を含む
ことを特徴とする請求項１ないし請求項２２の何れかに記載の空調システム。
【手続補正２】
【補正対象書類名】明細書
【補正対象項目名】０００４
【補正方法】変更
【補正の内容】
【０００４】
しかし、特許文献１の空調システムでは、ヒーターによる加熱ないしスプレーによる冷却を互いに独立した状態で行っているため、エネルギー効率の向上度合に限界がある。そこで、請求項１，６に記載の発明は、極めてエネルギー効率の良い空調を自動で実行可能である空調システムを提供することを目的としたものである。
【手続補正３】
【補正対象書類名】明細書
【補正対象項目名】０００５
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
請求項１に記載の発明は、上記目的を達成するため、基エア取込口から取り込んだ基エアを加熱する加熱手段、及び当該基エアを冷却する冷却手段を有する空調装置と、前記加熱手段に加熱媒体を加熱して供給すると共に、前記冷却手段に冷却媒体を冷却して供給するヒートポンプと、前記加熱媒体の前記ヒートポンプへの加熱負荷量を調節する加熱負荷量調節手段と、前記冷却媒体が前記ヒートポンプから供給される際の温度及び／又は前記冷却媒体が前記ヒートポンプへ戻る際の温度である冷熱温度を検知する冷熱温度センサと、前記加熱媒体を加熱する他温熱源と、前記冷熱温度センサ及び前記他温熱源と接続され、当該冷熱温度センサから得た前記冷熱温度に応じて前記加熱負荷量調節手段における加熱負荷量を制御すると共に、前記他温熱源による加熱供給量を調整する自動制御装置とを備えたことを特徴とするものである。なお、冷熱温度センサには、冷水タンク内の冷水温度を検知するものが含まれ、冷熱供給温度及び／又は冷熱戻り温度には、冷水タンク内の冷水温度が含まれる。
請求項２に記載の発明は、上記発明にあって、前記加熱負荷量調節手段は、前記自動制御装置による、前記ヒートポンプから供給される前記加熱媒体の温度設定値の調節、前記加熱媒体の流量の調節、前記他温熱源における加熱量の調節の内の少なくとも何れかを行うものであることを特徴とするものである。
請求項３に記載の発明は、上記発明にあって、受電量を把握可能なデマンドコントローラを備えており、前記ヒートポンプは、温水追従モードと冷房モードでモード切替可能であり、自動制御装置は、前記ヒートポンプを制御可能であって、当該デマンドコントローラにより把握された前記受電量が所定値を超えている場合に、前記ヒートポンプを冷房モードに切替えることを特徴とするものである。
請求項４に記載の発明は、上記発明にあって、前記ヒートポンプは、温水追従モードと冷房モードでモード切替可能であり、前記自動制御装置は、前記ヒートポンプを制御可能であって、前記冷却媒体の冷熱が不足していると、前記ヒートポンプを冷房モードに切替えることを特徴とするものである。
請求項５に記載の発明は、上記発明にあって、前記自動制御装置は、前記冷却媒体の冷熱が不足していると、前記他温熱源を運転することを特徴とするものである。
【手続補正１２】
【補正対象書類名】明細書
【補正対象項目名】００１５
【補正方法】変更
【補正の内容】
【００１５】
請求項６に記載の発明は、上記目的を達成するため、基エア取込口から取り込んだ基エアを加熱する加熱手段、及び当該基エアを冷却する冷却手段を有する空調装置と、前記加熱手段に加熱媒体を加熱して供給すると共に、前記冷却手段に冷却媒体を冷却して供給するヒートポンプと、前記冷却媒体の前記ヒートポンプへの冷却負荷量を調節する冷却負荷量調節手段と、前記加熱媒体が前記ヒートポンプから供給される際の温度及び／又は前記加熱媒体が前記ヒートポンプへ戻る際の温度である温熱温度を検知する温熱温度センサと、前記冷却媒体を冷却する他冷熱源と、前記温熱温度センサ及び前記他冷熱源と接続され、当該温熱温度センサから得た前記温熱温度に応じて前記冷却負荷量調節手段における冷却負荷量を制御すると共に、前記他冷熱源による冷熱供給量を調整する自動制御装置とを備えたことを特徴とするものである。なお、温熱温度センサには、温水タンク内の温水温度を検知するものが含まれ、温熱供給温度及び／又は温熱戻り温度には、温水タンク内の温水温度が含まれる。
請求項７に記載の発明は、上記発明にあって、前記冷却負荷量調節手段は、前記自動制御装置による、前記ヒートポンプから供給される前記冷却媒体の温度設定値の調節、前記冷却媒体の流量の調節、前記他冷熱源における冷却量の調節の内の少なくとも何れかを行うものであることを特徴とするものである。
請求項８に記載の発明は、上記発明にあって、受電量を把握可能なデマンドコントローラを備えており、前記ヒートポンプは、冷水追従モードと冷房モードでモード切替可能であり、自動制御装置は、前記ヒートポンプを制御可能であって、当該デマンドコントローラにより把握された前記受電量が所定値を超えている場合に、前記ヒートポンプを冷房モードに切替えることを特徴とするものである。
請求項９に記載の発明は、上記発明にあって、前記ヒートポンプは、冷水追従モードと冷房モードでモード切替可能であり、前記自動制御装置は、前記ヒートポンプを制御可能であって、前記冷却媒体の冷熱が不足していると、前記ヒートポンプを冷房モードに切替えることを特徴とするものである。
請求項１０に記載の発明は、上記発明にあって、前記加熱媒体を加熱する他温熱源を備えており、前記自動制御装置は、前記加熱媒体の温熱が不足していると、前記他温熱源を運転することを特徴とするものである。
【手続補正１３】
【補正対象書類名】明細書
【補正対象項目名】００１６
【補正方法】変更
【補正の内容】
【００１６】
請求項１１に記載の発明は、上記目的に加えて、冬季や夜間等において空調装置の冷却手段による基エアの冷却が不要である場合に効率をより一層良好とする目的を達成するため、上記発明において、前記冷却手段に対する冷却した冷却媒体の供給が不要である場合に、前記冷却媒体の温度につき、前記ヒートポンプの効率がより良好となるように上昇することを特徴とするものである。
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】変更
【補正の内容】
【００２４】
請求項１２に記載の発明は、上記目的に加えて、バランス確保のため冷却媒体を加熱可能であると共に冷却負荷の相対的増大時には冷却媒体を冷却することも可能である空冷ヒートポンプを配備し、更にその空冷ヒートポンプにおける運転切替をスムーズ且つ省エネルギーとなる状態で行う目的を達成するため、上記発明にあって、前記冷却媒体を加熱し又は冷却する媒体を供給する空冷ヒートポンプを備えており、当該空冷ヒートポンプの前記媒体を前記冷却媒体により冷却し又は加熱した後、前記空冷ヒートポンプの前記媒体に対する加熱又は冷却を切り替えることを特徴とするものである。
【手続補正２２】
【補正対象書類名】明細書
【補正対象項目名】００２５
【補正方法】変更
【補正の内容】
【００２５】
請求項１３に記載の発明は、上記目的に加えて、運転切替を一層円滑に実行する目的を達成するため、上記発明にあって、前記媒体を加熱し又は冷却する他補助熱源を備えており、前記冷却媒体による前記媒体の冷却又は加熱に合わせて、前記他補助熱源による冷却又は加熱を行うことを特徴とするものである。
【手続補正２３】
【補正対象書類名】明細書
【補正対象項目名】００２６
【補正方法】変更
【補正の内容】
【００２６】
請求項１４に記載の発明は、上記目的に加えて、シンプルな構成ないし動作で冷熱不足並びに過冷却を効果的に防止する目的を達成するため、上記発明にあって、前記冷却側加熱媒体は、要冷却設備における冷却水及び／又は冷水であり、当該冷却水及び／又は冷水を所定温度まで冷却して前記冷却媒体と熱交換する冷却機及び機器冷却水温度調節手段を更に備えていることを特徴とするものである。
請求項１５に記載の発明は、上記発明にあって、前記ヒートポンプは、複数存在しており、前記自動制御装置は、各前記ヒートポンプを制御可能であって、前記冷熱温度又は前記温熱温度に応じ、前記ヒートポンプの運転台数を変えることを特徴とするものである。
【手続補正２４】
【補正対象書類名】明細書
【補正対象項目名】００２７
【補正方法】変更
【補正の内容】
【００２７】
請求項１６に記載の発明は、上記目的に加えて、シンプルな構成において初期費用やランニングコストが低く熱回収も併せて実行可能な状態でヒートポンプによる加熱ないし冷却を継続して提供する目的を達成するため、基エア取込口から取り込んだ基エアを加熱する加熱手段、及び当該基エアを冷却する冷却手段を有する空調装置と、前記加熱手段に加熱媒体を加熱して供給すると共に、前記冷却手段に冷却媒体を冷却して供給するヒートポンプと、前記冷却媒体を加熱する冷却媒体加熱機とを備えており、前記ヒートポンプは、冷却媒体追従運転において冷却負荷量を上回る冷熱量である冷却媒体を供給する状態で運転されることを特徴とするものである。
請求項１７に記載の発明は、上記発明にあって、前記ヒートポンプは、空冷式熱回収型ヒートポンプであることを特徴とするものである。
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】変更
【補正の内容】
【００３１】
極めてエネルギー効率の良い空調システムを提供する目的を達成するために、請求項１８に記載の発明は、基エア取込口から取り込んだ基エアを加熱する加熱手段を有する空調装置と、前記加熱手段に加熱媒体を加熱して供給すると共に、冷却媒体につき、工場から生ずる排温水、排気、排ガス、補給水、洗浄水、機器の放熱、ワークの放熱、空調の排熱（別系統の空調）又はコージェネレーションの排熱の少なくとも何れか１つ（工場に属する熱）を含む側から導入し冷却して導出可能であるヒートポンプと、前記加熱媒体、及び／又は前記空調装置に設けられた第２加熱手段に供給される第２加熱媒体を加熱する他温熱源とを備えたことを特徴とするものである。
請求項１９に記載の発明は、上記発明にあって、前記工場から生ずる排温水、排気、排ガス、補給水、洗浄水、機器の放熱、ワークの放熱、空調の排熱又はコージェネレーションの排熱の少なくとも何れか１つの熱量が不足する場合に、前記ヒートポンプの加熱負荷を調整する加熱負荷調整手段を制御して、当該加熱負荷を低減する自動制御装置を備えていることを特徴とするものである。
請求項２０に記載の発明は、上記発明にあって、前記工場から生ずる排温水、排気、排ガス、補給水、洗浄水、機器の放熱、ワークの放熱、空調の排熱又はコージェネレーションの排熱の少なくとも何れか１つを冷却する排熱等冷却手段を備えており、前記加熱負荷調整手段は、前記工場から生ずる排温水、排気、排ガス、補給水、洗浄水、機器の放熱、ワークの放熱、空調の排熱又はコージェネレーションの排熱の少なくとも何れか１つの前記排熱等冷却手段に対する流量を調節する流量調節手段を制御することで、前記ヒートポンプの加熱負荷を低減することを特徴とするものである。
請求項２１に記載の発明は、上記発明にあって、前記加熱負荷調整手段は、前記加熱媒体の前記ヒートポンプに対する流量を調節する加熱側流量調節手段を制御することで、前記ヒートポンプの加熱負荷を低減することを特徴とするものである。
【手続補正２９】
【補正対象書類名】明細書
【補正対象項目名】００３２
【補正方法】変更
【補正の内容】
【００３２】
請求項２２に記載の発明は、上記目的に加えて、更に効率が良好であり、様々な規模に対応することが可能であるブース空調を提供する目的を達成するため、上記発明において、前記空調装置は、複数であることを特徴とするものである。
【手続補正３０】
【補正対象書類名】明細書
【補正対象項目名】００３３
【補正方法】変更
【補正の内容】
【００３３】
請求項２３に記載の発明は、上記目的に加えて、リサイクル空調を利用可能としてより一層省エネルギー性に優れたブース空調を提供する目的を達成するため、上記発明において、前記空調装置として、排気循環空調機を含むことを特徴とするものである。
【手続補正３１】
【補正対象書類名】明細書
【補正対象項目名】０１９６
【補正方法】変更
【補正の内容】
【０１９６】
第１１形態に係る空調システム５０１では、ヒートポンプ４ａ〜４ｄ等が複数存在するため、いかなる規模の工場等であっても低コストで柔軟に対応することができ、規模変更にも即座に対応することができ、エネルギー効率に優れたヒートポンプ４利用のブース空調を適切に導入可能とすることができる。